(57)【要約】      （修正有）【課題】背面側の光源からの光を透過させて表面側に光映像を表出するスクリーン壁の構成要素として好適な塩タイルを提供する。【解決手段】精製塩又は天然塩を主成分とする乳白半透明の溶融成形物からなり、可視光の波長域におけるタイル厚み方向の拡散透過率が１０〜３０％の範囲にある塩タイル１をスクリーン壁２として構成し、該スクリーン壁２の背面空間に映像用光源３が配設され、該映像用光源３からの光を前記塩タイル１に透過させることにより、前記スクリーン壁２の表面側に映像を表出するように構成した。【選択図】図４
2010106520.tif 000002
【特許請求の範囲】
【請求項１】
精製塩又は天然塩を主成分とする乳白半透明の溶融成形物からなり、可視光の波長域におけるタイル厚み方向の拡散透過率が１０〜３０％の範囲にある塩タイル。
【請求項２】
厚みが８〜３０ｍｍである請求項１に記載の塩タイル。
【請求項３】
壁体主要部に請求項１又は２に記載の塩タイルを用いたスクリーン壁の背面側空間に映像用光源が配設され、該映像用光源からの光を前記塩タイルに透過させることにより、前記スクリーン壁の表面側に光映像を表出するように構成されてなる映像スクリーン。
【請求項４】
前記映像用光源が前記スクリーン壁の背面側に配列された多数のＬＥＤ光源からなる請求項３に記載の映像スクリーン。
【請求項５】
各ＬＥＤ光源が赤青緑三原色のＬＥＤ素子の組からなる請求項４に記載の映像スクリーン。
【発明の詳細な説明】
【技術分野】
【０００１】
本発明は、背面側の光源からの光を透過させて表面側に光映像を表出するスクリーン壁の構成要素として好適な塩タイルと、この塩タイルを用いた映像スクリーンに関する。
【背景技術】
【０００２】
温浴を利用するリクライゼーション施設として、サウナ、岩盤浴、温泉等が利用されているが、近年、塩の持つ遠赤外線効果や殺菌効果等に着目して、砂利状の岩塩を床に敷き詰めたり、塊状岩塩を積み上げて壁体を構成する（特許文献１）ことが行われている。一方、朝鮮半島では、内壁面に塩タイルを貼り付けた部屋にオンドルを組み合わせた、所謂塩サウナが古くから利用されている。また、本発明者は先に、塩サウナ等の内装材用として、精製塩や天然塩を加熱溶融して成形型内で冷却固化させた塩製パネル（塩タイル）を提案している（特許文献２）。
【０００３】
そして、本発明者は、上記の塩タイルを内装材とする塩サウナ等から更に発展して、温熱による肉体的な癒し効果に加え、該塩タイルの光透過性を利用した映像による精神的な癒し効果を付与し得る理想的なクライゼーションシステムを構想し、それを具体化したリクライゼーションルームを提案している（特許文献３）。
【特許文献１】特開２００５−９２５１４号公報
【特許文献２】特開２００７−９２５１４号公報
【特許文献３】特願２００８−１３３２５４号
【発明の開示】
【発明が解決しようとする課題】
【０００４】
しかしながら、精製塩や天然塩の溶融成形物は概して乳白半透明を呈するが、本発明者の検討によれば、この溶融成形物からなる塩タイルを用いてスクリーン壁を構成し、その背面側に配列したＬＥＤ等の多数の光源からの光を該塩タイルに透過させてスクリーン壁表面に光映像を表出させる場合、癒し効果の高い光映像を得る上で該塩タイルの光学的特性を調整する必要がある。すなわち、数多くのモニター結果から、高い癒し効果が得られるのは、多彩多様に変化して、且つ像の明瞭な輪郭や光源等の鋭い輝点を認めない柔らかで幻想的な光映像であることが判明している。従って、スクリーン壁を構成する塩タイルとしては、このような光映像を表出可能な光学的特性を備えることが望まれる。
【課題を解決するための手段】
【０００５】
本発明は、上記課題を解決するために様々な観点から鋭意検討を重ねた結果、精製塩や天然塩の溶融成形物からなる塩タイルとして、癒し効果の高い光映像を得るために、可視光の波長域における拡散透過率が特定範囲にあるものが有用であることを見出し、本発明をなすに至った。
【０００６】
すなわち、請求項１の発明に係る塩タイルは、精製塩又は天然塩を主成分とする乳白半透明の溶融成形物からなり、可視光の波長域におけるタイル厚み方向の拡散透過率が１０〜３０％の範囲にあることを特徴としている。
【０００７】
そして、請求項２の発明は、上記請求項１の塩タイルにおいて、厚みが８〜３０ｍｍであるものとしている。
【０００８】
一方、請求項３の発明に係る映像スクリーンは、図面の参照符号を付して示せば、壁体主要部に請求項１又は２に記載の塩タイル１…を用いたスクリーン壁２の背面側空間（伝熱空間１２）に映像用光源（ＬＥＤ光源３…）が配設され、該映像用光源からの光を前記塩タイル１…に透過させることにより、前記スクリーン壁２の表面側に光映像を表出するように構成されてなるものとしている。
【０００９】
更に、請求項４の発明は、上記請求項３の映像スクリーンにおいて、映像用光源がスクリーン壁２の背面側に配列された多数のＬＥＤ光源４…からなるものとしている。
【００１０】
また、請求項５の発明は、上記請求項４の映像スクリーンにおいて、各ＬＥＤ光源４が赤青緑三原色のＬＥＤ素子の組からなるものとしている。
【発明の効果】
【００１１】
以下に、本発明の効果について、図面の参照符号を付して説明する。まず、請求項１の発明によれば、精製塩又は天然塩を主成分とする乳白半透明の溶融成形物からなる塩タイル１として、可視光の波長域におけるタイル厚み方向の拡散透過率が特定範囲にあることから、背面側の光源（ＬＥＤ光源３…）からの光を透過させて表面側に光映像を表出するスクリーン壁２の構成要素として用いた場合に、像の明瞭な輪郭や光源等の鋭い輝点を生じず、柔らかで幻想的な光映像による高い癒し効果を付与できるものが提供される。
【００１２】
請求項２の発明によれば、上記塩タイルとして、特定の厚みを有することから、上記スクリーン壁２の構成要素として十分な強度を保持して、且つ上記の癒し効果の高い光映像を表出できるものが提供される。
【００１３】
請求項３の発明によれば、映像スクリーンとして、スクリーン壁２の壁体主要部に請求項１又は２に記載の塩タイル１…を用いていることから、背面側空間（伝熱空間１２）に配設した映像用光源（ＬＥＤ光源３…）からの光を該塩タイル１…に透過させることにより、スクリーン壁２の表面側に上記の癒し効果の高い光映像を表出できるものが提供される。
【００１４】
請求項４の発明によれば、上記の映像スクリーンとして、映像用光源がスクリーン壁２の背面側に配列された多数のＬＥＤ光源４…からなるため、低電力で明るく安定した光映像が得られると共に、これらＬＥＤ光源４…のオンオフ制御によって様々なパターンの静止映像及び動的映像を容易に表出できるものが提供される。
【００１５】
請求項５の発明によれば、上記の映像スクリーンとして、上記の各ＬＥＤ光源４が赤青緑三原色のＬＥＤ素子の組からなるため、光の三原色の組み合わせによって白色を含めて様々な色彩による光映像を自在に表出でき、より高い癒し効果を付与できるものが提供される。
【発明を実施するための最良の形態】
【００１６】
以下、本発明の塩タイル及び映像スクリーンの実施形態について、図面を参照して具体的に説明する。図１は本発明の映像スクリーンを適用したリラクゼーションルームの縦断面図、図２は該リクライゼーションルームのスクリーン壁の正面図及び断面図、図３は該スクリーン壁に用いた塩タイルの斜視図及び断面図、図４は該スクリーン壁の支持構造を示す断面図、図５は該塩タイルの一例について測定した拡散透過率のスペクトル図である。
【００１７】
図１で示すリラクゼーションルームは、鉄筋コンクリート構造の建物躯体１０の内側に、塩壁構造によって構成されるルーム本体１１が配置しており、該建物躯体１０とルーム本体１１との間に、当該ルーム本体１１の全周囲にわたる伝熱空間１２が形成されている。そして、ルーム本体１１の周壁部１１ａの下部側から床壁部１１ｂの全体にわたる領域に臨んで、該伝熱空間１２内にパネルヒーター１３が配設され、該パネルヒーター１３と建物躯体１０の内面との間に断熱材１４が介在されている。また、伝熱空間１２内には、取付フレーム１５に支持された赤青緑三原色の多数のＬＥＤ光源４…が、ルーム本体１１の全周囲にわたって配列されると共に、要所に音響設備１６…が設置されている。１７はＬＥＤ光源４…及び音響設備１６…の稼働を司る制御装置、１８はＬＥＤ光源４…の発光パターンと音響設備１６…の音響パターンを設定する光音響設定装置である。
【００１８】
ルーム本体１１の全体つまり周壁部１１ａ及び床壁部１１ｂと天井壁部１１ｃは、スクリーン壁２として、ポリカーボネート等の無色透明プラスチックからなる壁基体２１の内面側に、精製塩又は天然塩の溶融成形物からなる多数枚の塩タイル１…を固着した構造となっている。
【００１９】
図２及び図３に示すように、スクリーン壁２の各塩タイル１は、表面１ａがムラ状の凹凸をなす正六角形の厚板状であり、周囲の隣接する塩タイル１…との間に一定幅の目地４を介在した状態で、浅い凹面状をなす背面１ｂ側において両面接着材５を介して壁基体２１に接着固定されている。また、各塩タイル１の周面は室内側へ収束する緩傾斜のテーパ面になっている。なお、目地４は、精製塩又は天然塩の微粉末に水を加えて混和した塩ペーストを用い、この塩ペーストを目地間隙に充填して乾燥固化させている。
【００２０】
図４に示すように、ＬＥＤ光源４…を支持する取付フレーム１５の内面側には、前後左右方向に夫々所要間隔おきに鋼製のスタッドボルト６…が突設されており、各スタッドボルト６の先端部に保持されたポリカーボネート等の透明プラスチック製の正方形の支持板７と、スクリーン壁２の壁基体２１の背面とを接着剤を介して固着することにより、スクリーン壁２が取付フレーム１５に支持されている。しかして、スクリーン壁２の壁基体２１は例えば３０〜４０枚の塩タイル１…が貼り付けられる大きさの矩形板２１ａ…を縦横複数列に配列してなり、これら矩形板２１ａ…の４枚の角部が十字状に合わさる部分に前記支持板７が配置している。また、取付フレーム１５は角型鋼管からなる多数の枠材１５ａ…を縦横に格子状に枠組みしたものであり、各スタッドボルト６の下端部が枠材１５ａに挿通されてナット６ａ，６ｂにより固定されると共に、各スタッドボルト６の上端部に前記支持板７とポリカーボネート製のナット７１が螺着されている。
【００２１】
ここで、塩タイル１の溶融成形物は、精製塩又は天然塩を主成分とする微粉末を塩の融点（８００．４℃）以上に加熱して溶融させ、この加熱溶融物を成形型内に流し込んで冷却固化させたものであり、概して乳白半透明で岩塩のように硬い板体になっている。そして、この成形において、成形型の開放面側のタイル表面（使用時の背面１ｂ）が冷却固化時の収縮に伴って浅い凹面状になる一方、成形型の底面側に接するタイル表面（使用時の表面１ａ）には同収縮に伴ってムラ状の凹凸を生じる。なお、このムラ状の凹凸とは、不規則でなだらかな凹凸を意味する。
【００２２】
このようなリクライゼーションルームでは、ＬＥＤ光源４…を音響設備１６…による音響に連動して様々なパターン及び色合いで発光させることにより、乳白半透明の塩タイル１…を通してスクリーン壁２の室内側表面に光映像を表出させ、ルーム本体１の入室者に塩サウナとしての温熱作用及び清浄化作用と同時に該光映像と音響による癒し効果を付与するが、その癒し効果を高める上で該光映像を穏やかに幻想的に表出し、視覚的に入室者が心理的に落ち着いて瞑想し易い雰囲気を醸成する必要がある。そのため、本発明においては、この塩タイル１として、可視光の波長域におけるタイル厚み方向の拡散透過率が１０〜３０％の範囲にあるものを用いる。
【００２３】
すなわち、乳白半透明の塩タイル１は、背面のＬＥＤ光源３…の発光を拡散透過させるが、条件を種々変えて実施した数多くのモニター結果から、可視光の波長域におけるタイル厚み方向の拡散透過率が１０％未満であると、光源の照度に対してルーム本体１内から見た映像が暗くなってエネルギー効率が悪い上に、照度を上げても映像の光パターンがぼやけ過ぎて形や配色を識別しにくくなるため、光パターン及び色合いを様々に工夫しても高い癒し効果を発現できないことが判明している。また逆に、該拡散透過率が３０％を越えると、スクリーン壁２の背面側に配置しているＬＥＤ光源３…がルーム本体１内側から輝点として視認されると共に、光パターンの輪郭がシャープに視認されることから、光源の照度を落した場合でも穏やかで幻想的な光映像を表出できず、やはり高い癒し効果を発現できないことが判明している。
【００２４】
図５は、塩タイル１の一例について測定したタイル厚み方向の拡散透過率の近紫外から近赤外にわたるスペクトル図であり、図中の線Ｌが拡散透過率である。一般的に、塩タイル１のタイル厚み方向の拡散透過率は、乳白度（不透明度）の高低に拘らず、図示のように可視光域（波長４００〜７６０ｎｍ）全体で殆ど平坦であり、明瞭な正負のピークは現われないが、短波長側よりも長波長側が僅か（数％以下）に高くなる（この例では波長４００ｎｍの１７％に対し、波長７６０ｎｍで１８％）傾向がある。しかして、本発明の塩タイル１は、その可視光域のタイル厚み方向の拡散透過率が図示仮想線で示す上限３０％と下限１０％の間に入るものとする。
【００２５】
しかして、塩タイル１の拡散透過率は、原料の精製塩や天然塩の品種によって異なるが、同じ原料では溶融温度が高いほど、また溶融後の固化までの冷却時間が長いほど、概して高くなる。また、タイル厚み方向の拡散透過率は、当然のことながら、タイル厚みが大きいほど低くなる。一方、添加剤として、シリカ、アルミナ、チタニア、ジルコニア、酸化亜鉛等の塩の溶融温度よりも高融点のセラミック系粒子からなる光拡散性フィラーを配合したり、溶融時に熱分解して炭酸ガスや水蒸気の微小気泡を発生させる炭酸塩や含水塩等の分解発泡性無機化合物粒子を配合すれば、その種類と配合量によって拡散透過率を低くする方向で調整できる。従って、本発明の塩タイル１は、製造時の使用原料の品種と溶融成形条件、タイルの厚さ、添加剤の種類と配合量等を適宜調整することにより、可視光の波長域におけるタイル厚み方向の拡散透過率が１０〜３０％の範囲になるように設定すればよい。ただし、塩タイル１の厚みは、壁の構成要素としての強度面より、８〜３０ｍｍの範囲に設定するのがよい。
【００２６】
図２（ａ）（ｂ）で示す構造のスクリーン壁として、可視光の波長域におけるタイル厚み方向の拡散透過率が種々異なる塩タイルを用いたものＡ〜Ｐを製作し、各スクリーン壁の背面側の壁面から９０ｍｍ離れた位置に、３原色のＬＥＤ発光素子の組からなるＬＥＤ光源３…（ＬＵＸＭＡＸ社製  ｋ商品名Ａ−ＤＥＢＡＲ）を縦横１００ｍｍピッチで配列し、スクリーン壁の表面側空間と背面側空間を該スクリーン壁の周囲で遮光した暗室状態として、これらＬＥＤ光源３…を様々な動的パターン及び色合いで発光させ、表面側空間からスクリーン壁表面の光映像を観察し、その表出状態を調べた。その結果を、各スクリーン壁に用いた塩タイルの可視光を代表して青色光（波長４７０ｎｍ）及び赤色光（波長６６０ｎｍ）のタイル厚み方向の拡散透過率と、大勢のモニターによる癒し効果の評価と共に、後記表１に示す。なお、塩タイルサンプルとその拡散透過率測定、光映像の表出状態、癒し効果の評価は、次のとおりである。
【００２７】
〔塩タイルサンプルの拡散透過率測定〕
塩原料として同じ精製塩の微粉末を用い、約１０００℃で溶融させた溶融物を金型に注入して自然冷却による固化後に取り出して得られる正六角形（長径９０ｍｍ）の厚板状の塩タイルサンプルとして、その厚みを種々異ならせたものと、更に原料中に炭酸ナトリウム微粉末を種々の割合で配合したものを各々多数枚（溶融炉１ロット分）作製した。そして、各サンプル毎に無作為に選択した複数枚（３〜６枚）の塩タイルについて、島津製作所製の分光光度計ＵＶ−３１５０により、積分球（内径６０ｍｍ、内面硫酸バリウム塗装、サンプル側光：垂直入射、リファレンス側光：８度斜入射）を用い、スリット幅２ｍｍ、サンプリングピッチ０．５ｎｍ、測定波長３５０〜８００ｎｍとしてタイル厚み方向の拡散透過率を測定した。その結果、各サンプル種毎の拡散透過率のスペクトルは、図５と同様に測定波長域全体に殆ど平坦で明瞭な正負のピークがなく、且つ個々のタイルによる違いが殆どなく略一定していた。表中の拡散透過率は各サンプル種毎の平均値を示す。
【００２８】
〔光映像の表出状態〕
光源輝点・・・全く視認できない場合を○、僅かに視認できる場合を△、明瞭に視認で              きる場合を×、として評価した。
映像輪郭・・・２０ｃｍ以上の幅で連続的に光が薄くなる状態を○、２０ｃｍ未満の幅              で連続的に光が薄くなる状態を△、殆ど線状にシャープに表れる場合を×              、として評価した。
映像識別性・・・光パターンの形状や色合いが確実に識別できる場合を○、形状や色合              いがぼやけて識別しにくい場合を△、形状や色合いが混じり合って識別で              きない場合を×、として評価した。
【００２９】
〔癒し効果の評価〕
気持ちが落ち着いてリラックスできると感じたモニターが８０％以上の場合を○、５０％以上〜８０％未満の場合を△、５０％未満の場合を×、として評価した。
【００３０】
【表１】
2010106520.tif 000003
【００３１】
上表より、可視光の波長域（代表として青色光及び赤色光）におけるタイル厚み方向の拡散透過率が１０〜３０％の範囲にある塩タイルを用いたスクリーン壁Ｆ〜Ｋでは、光源輝点が視認されず、映像輪郭のシャープさがない上、光パターンの形状や色合いを確実に識別できる光映像を表出でき、穏やかで幻想的な光映像による高い癒し効果が得られることが判る。これに対し、該拡散透過率が１０％未満の塩タイルを用いたスクリーン壁Ｌ〜Ｐでは光パターンの形状や色合いが識別しにくく、逆に該拡散透過率が３０％を越えるスクリーン壁Ａ〜Ｅでは光源輝点が視認される上に映像輪郭もシャープになり、いずれにおいても癒し効果に劣る光映像になることが示唆される。
【００３２】
なお、上記の実施形態ではリラクゼーションルームとして光映像と同時に温熱及び音響による癒し効果を付与できるものを例示したが、本発明の塩タイル及びスクリーン壁は温熱機能及び音響機能の一方又は両方を設けていないリラクゼーションルームの塩壁にも適用できる。また、塩タイルの形状、該塩タイルのスクリーン壁への組み付け構造、光映像の光源種等については、実施形態以外に種々設定できる。
【図面の簡単な説明】
【００３３】
【図１】本発明の映像スクリーンを適用したリラクゼーションルームの縦断面図である。
【図２】同リクライゼーションルームのスクリーン壁を示し、（ａ）は正面図、（ｂ）は断面図である。
【図３】同スクリーン壁に用いた塩タイルを示し、（ａ）は斜視図、（ｂ）は（ａ）のＡ−Ａ線の断面矢視図である。
【図４】同スクリーン壁の支持構造を示す断面図である。
【図５】塩タイルの一例について測定したタイル厚み方向の拡散透過率のスペクトル図である。
【符号の説明】
【００３４】
１      塩タイル
２      スクリーン壁
３      ＬＥＤ光源
１１    ルーム本体
【図１】
2010106520.tif 000004
【図２】
2010106520.tif 000005
【図３】
2010106520.tif 000006
【図４】
2010106520.tif 000007
【図５】
2010106520.tif 000008